(57)【要約】物を出し入れする包囲体開口部を小さくすることができ、そして、使用形態から減容化した所定の形態に折り畳むのが容易な折り畳み可能な包囲体を提供する。手提げ袋100は、袋開口部100aを挟んで、その一方と他方に位置する第１、第２のトンネル部18a、18bを有する。第１、第２のトンネル部18a、18bには、袋開口部100aを小さくすることのできる第１、第２のストラップST(1)、ST(2)が挿通されている。そして、第１、第２のトンネル部18a、18bの端から外部に延出する部分6、8を引っ張ることにより、袋開口部100aを小さくすることができる。
2017033902.tif 000002
【特許請求の範囲】
【請求項１】
直線状に延び且つ対象物を出し入れするための包囲体開口部を挟んで、その一方と他方に位置し、該包囲体開口部に沿って延びる第１、第２のトンネル部と、
前記第１のトンネル部に挿通され、前記包囲体開口部を小さくすることのできる第１のストラップと、
前記第２のトンネル部に挿通され、前記包囲体開口部を小さくすることのできる第２のストラップと、
前記包囲体開口部を通じて受け入れた対象物を包囲する包囲体本体と、
該包囲体本体に形成された複数のプリーツであって、該複数のプリーツの両端部を重ねた状態で閉塞された複数のプリーツとを有し、
前記第１、第２のトンネル部の少なくとも端又は中央部のいずれか一方から前記第１、第２のストラップの一部を引っ張り出すことにより前記包囲体開口部を小さくすることができる折り畳み可能な包囲体。
【請求項２】
前記第１、第２のトンネル部の長手方向中央部分に窓を有し、該窓を通じて前記第１、第２のストラップを外部に引っ張り出すことができる、請求項１に記載の折り畳み可能な包囲体。
【請求項３】
前記第１、第２のストラップの各端部が、前記第１、第２のトンネル部の各端部に固定されている、請求項２に記載の折り畳み可能な包囲体。
【請求項４】
前記第１、第２のトンネル部の少なくとも長手方向一端部から前記第１、第２のストラップが外部に延出し、該外部に延出している前記第１、第２のストラップの端部が連結されている、請求項１に記載の折り畳み可能な包囲体。
【請求項５】
前記第１、第２のトンネル部の長手方向両端部から前記第１、第２のストラップが外部に延出し、該外部に延出している前記第１、第２のストラップの各端部が夫々連結されている、請求項４に記載の折り畳み可能な包囲体。
【請求項６】
前記外部に延出している前記第１、第２のストラップの一端部及び他端部が、それぞれ、第１、第２のリングを介して連結され、
これら第１、第２のリングが一本のショルダーストラップによって連結されている、請求項５に記載の折り畳み可能な包囲体。
【請求項７】
前記ショルダーストラップにアジャスタが設けられ、該アジャスタによって前記ショルダーストラップの長さが調整可能である、請求項６に記載の折り畳み可能な包囲体。
【請求項８】
前記第１、第２のトンネル部の長手方向中央部分に窓を有し、該窓を通じて前記第１、第２のストラップを外部に引っ張り出すことができる、請求項４〜７のいずれか一項に記載の折り畳み可能な包囲体。
【請求項９】
前記包囲体開口部がファスナを有し、該ファスナによって該包囲体開口部を閉じることができる、請求項１〜７のいずれか一項に記載の折り畳み可能な包囲体。
【請求項１０】
前記包囲体本体の一端から延出するフラップを有し、
該フラップにファスナが設けられ、該ファスナによって前記フラップが前記包囲体本体の背面に脱着可能に固定される、請求項１〜７のいずれか一項に記載の折り畳み可能な包囲体。
【請求項１１】
前記包囲体がリバーシブルである、請求項１〜７のいずれか一項に記載の折り畳み可能な包囲体。
【請求項１２】
前記包囲体が手提げ袋である、請求項１〜７のいずれか一項に記載の折り畳み可能な包囲体。
【請求項１３】
前記包囲体がショルダーバッグである、請求項１〜７のいずれか一項に記載の折り畳み可能な包囲体。
【発明の詳細な説明】
【技術分野】
【０００１】
本発明は、シート材料で構成される折り畳み可能な包囲体に関し、より詳しくは、単なる引っ張り操作だけで手際よく減容化した所定の形態に折り畳んで持ち運ぶことのできる包囲体に関する。ここに、包囲体には、自動車や自転車に被せるボディーカバー、自動車のハンドルに被せるハンドルカバー、自転車のサドルに被せる雨よけカバーが含まれる。包囲体には、更に、手提げ袋、ポーチ、ショルダーバッグ、ウエストバッグが含まれる。
【背景技術】
【０００２】
シート材料で構成される折り畳み可能な物品を小さな約束した形態にする、つまり物品の減容化に関する様々な提案がなされている。典型例の手提げ袋を例に従来例を説明すると、特許文献１は、包装用手提げ袋の減容化を提案している。この包装用手提げ袋は蛇腹構造を採用している。すなわち、特許文献１の手提げ袋は、底から袋開口までの間に上下方向に山折りと谷折りとが交互に連続した蛇腹構造を有している。袋の中に商品を積み上げるようにして収容することで、蛇腹構造が上方に伸長した包装用手提げ袋になる。【０００３】
特許文献２は蛇腹構造の携帯バッグを提案している。特許文献２は、大別して２種類の態様を開示している。第１種の態様は、底から上端まで上下方向に山折りと谷折りとが交互に連続した構造を有している。第２種の態様は、横方向に山折りと谷折りとが交互に連続した構造を有している。【０００４】
特許文献３は、エコバッグに好適な折り畳み式手提げバッグを提案している。この手提げバッグは、正面視正方形又は長方形等の矩形の形状を有するバッグ本体と、その左右上端から上方に延びる左右一対の手提げ部とを有する。バッグ本体は左右の側壁にマチを有している。バッグ本体の表面と裏面には、夫々、上下方向に延びる折り目が設けられている。表面及び裏面の各々において、折り目は２本設けられ、２本の折り目は左右に離間している。【０００５】
手提げバッグを折り畳んで減容化するには、先ず、使用した手提げバッグを平らな台の上で平らに広げ、次いで、バッグ本体を折り目に沿って折り畳む。これにより手提げバッグは帯状の所定の形状になる。次いで、帯状の手提げバッグを２つ折り、４つ折りして小さな矩形の形態にする。または、帯状の手提げバッグをその一端から巻き込んでロール形状の形態にする。【０００６】
特許文献４は、犬の散歩中の糞の持ち帰り、食べ残し食品の持ち帰り等の際に使用するのに好都合な折り畳みバッグを提案している。この折り畳みバッグは、正面視矩形の袋開口部に横方向に延びるトンネルを有し、このトンネルに２本のリング状ストラップが挿通されている。第１のストラップはトンネルの一端から外部に露出している。第２のストラップはトンネルの他端から外部に露出している。第１、第２のストラップを引っ張ることにより袋開口部を閉じることができる。【０００７】
折り畳みバッグは、２本の上下に延びる左右の縦折り目と、７本の横方向に延びる横折り目とを有する。７本の横折り目は折り畳みバッグの下端から等間隔に配置されている。折り畳みバッグは、左右の縦折り目に沿って折り畳んで帯状の第１の折り畳み形態にする。次いで、帯状の第１の折り畳み形態のバッグを７本の横折り目に沿って折り畳んで、小さな矩形の最終の折り畳み形態にする。そして、この最終の折り畳み状態のバッグを外装袋に挿入する。【０００８】
特許文献４の折り畳みバッグは主に使い捨てとして用いるのが好都合である。換言すれば、使用した袋を再使用のために折り畳むには、手間のかかる操作が必要である。【０００９】
スーパーマーケットなどの小売店で大量にポリオレフィン等の材料で作られた、使い捨ての、いわゆるレジ袋（ポリ袋）が使用されている。環境問題の観点から、レジ袋（ポリ袋）に代わって、買い物袋を持参することが推奨されている。買い物袋は「エコバッグ」と呼ばれている。エコバッグは、これを持ち運ぶときは小さな形態であることが望まれる。したがって、使用後のエコバッグは、簡単な折り畳み操作で小さな且つ所定の約束した形態つまり減容化形態になるのが望まれる。そして、小さな形態つまり減容化した形態の見栄えが良いことが望まれる。
【先行技術文献】
【特許文献】
【００１０】
【特許文献１】特開２００８−１９５４３２号公報
【特許文献２】特開２００８−２０６８４０号公報
【特許文献３】特開２００９−６１１６７号公報
【特許文献４】特開２０１１−１０９１号公報
【発明の開示】
【００１１】
本発明の目的は、展開した使用形態において、物を包囲した後に、該物を出し入れする包囲体開口部を小さくすることができ、そして、使用形態から減容化した所定の形態に折り畳むのが容易な折り畳み可能な包囲体を提供することにある。
【００１２】
上記の技術的課題は、本発明によれば、
直線状に延び且つ対象物を出し入れするための包囲体開口部を挟んで、その一方と他方に位置し、該包囲体開口部に沿って延びる第１、第２のトンネル部と、
前記第１のトンネル部に挿通され、前記包囲体開口部を小さくすることのできる第１のストラップと、
前記第２のトンネル部に挿通され、前記包囲体開口部を小さくすることのできる第２のストラップと、
前記包囲体開口部を通じて受け入れた対象物を包囲する包囲体本体と、
該包囲体本体に形成された複数のプリーツであって、該複数のプリーツの両端部を重ねた状態で閉塞された複数のプリーツとを有し、
前記第１、第２のトンネル部の少なくとも端又は中央部のいずれか一方から前記第１、第２のストラップの一部を引っ張り出すことにより前記包囲体開口部を小さくすることができる折り畳み可能な包囲体を提供することにより達成される。
【００１３】
本発明の適用例として、上述したエコバッグの他に、展開した袋状の状態で、例えば自転車のサドルに被せることで、サドルが雨に濡れるのを阻止する携帯具を挙げることができる。また、テント、雨合羽、ポンチョなど折り畳むのに手間取る携帯具や自動車又は自転車を覆うカバーも本発明の適用例として挙げることができる。更に、自動車のシートに被せるシートカバーも本発明の適用例として挙げることができる。アウトドア用の自動車（典型例はＳＵＶ）の中には、シートの表皮に撥水性の材料を用いた自動車がある。このような撥水シートを搭載していない自動車で汚れやすい場所に行くときに、撥水性及び／又は防水性のシートカバーがあると都合が良い。また、犬や猫などのペットを同伴したドライブでは、シートに犬や猫の抜け毛が絡み、これを除去するのが難儀である。ペットを同伴するときにシートカバーをシートに被せ、ドライブが終わったらシートカバーを取り外すことができれば、好都合である。
【００１４】
また、日射からハンドルを守る断熱ハンドルカバーや、例えばインストルメントを包囲する折り畳み式日除けカバーなどにも本発明を好適に適用可能である。
【００１５】
本発明の更なる目的及び作用効果は、以下の本発明の好ましい実施例の詳しい説明から明らかになろう。
【図面の簡単な説明】
【００１６】
【図１】第１実施例の手提げ袋の斜視図であり、第１実施例の手提げ袋を買い物袋として使用するときの使用状態を示す図である。
【図２】第１実施例の手提げ袋の正面図であり、第１実施例の手提げ袋に買い物した商品を入れたときの状態を示す図である。
【図３】第１実施例の手提げ袋の斜視図であり、第１実施例の手提げ袋を買い物袋として使用するときに袋開口を広げた状態を示す図である。
【図４】第１実施例の手提げ袋を折り畳む第１工程である、手提げ袋を帯状の形態にする中間段階の状態を示す正面図である。
【図５】第１実施例の手提げ袋を折り畳む第１工程である、手提げ袋を帯状の形態にした状態を説明するための正面図である。
【図６】第１実施例の手提げ袋の袋開口を広げた状態を示し、図３に対応する側面図である。
【図７】第１実施例の手提げ袋の袋開口を広げた状態で購入した商品を中に入れ、袋開口を小さくするために左右の手提げストラップを引っ張ったときの状態変化を説明するための側面図である。
【図８】図７に続いて、袋開口を小さくするために左右の手提げストラップを引っ張った最終段階の状態を説明するための側面図である。
【図９】帯状の形態にしたときの第１実施例の手提げ袋の正面図である。
【図１０】帯状の形態にしたときの第１実施例の手提げ袋の平面図である。
【図１１】帯状の形態にしたときの第１実施例の手提げ袋の底面図である。
【図１２】帯状の形態にしたときの第１実施例の手提げ袋の背面図である。
【図１３】帯状の形態にしたときの第１実施例の手提げ袋の右側面図である。
【図１４】帯状の形態にしたときの第１実施例の手提げ袋の左側面図である。
【図１５】第１実施例の手提げ袋を製造する工程を説明するための図であり、(I)はプリーツを形成する第１工程を示し、(II)はプリーツを形成して帯状の形態になった生地の端部を閉じる第２工程を示し、(III)は端部を閉じた帯状の布地にリング状のストラップを通す第３工程を示す。
【図１６】第１実施例の手提げ袋を帯状にする第１工程に続いて、帯状の手提げ袋を長手方向に折り畳んで減容化する工程を説明するための図であり、(I)は長手方向に２つ折りした状態を示し、(II)は更に２つ折りした状態を示し、(III)はフラップのボタンファスナを使って減容化した状態で固定した状態を示す。
【図１７】第１実施例の手提げ袋を展開した状態のときに、この展開状態の手提げ袋をカバーとして使用する際に、カバーされる物品（例えば自転車のサドル）に固定するために、帯状の手提げ袋の長手方向中間部分に面ファスナを設けた例を説明するための図である。
【図１８】第１実施例の手提げ袋を展開した使用状態のときに、例えば購入した商品を入れた手提げ袋の上端部をリング状にして手で持てるようにするために、帯状の手提げ袋の両端にボタンファスナを設けた例を説明するための図である。
【図１９】第１実施例の手提げ袋を展開した状態のときに、この展開状態の手提げ袋を何らかの物品に固定するために、帯状の手提げ袋の長手方向中間部分に間隔を隔てて２つのＤカンフックを設けた例を説明するための図である。
【図２０】第１実施例の手提げ袋を展開した状態のときに、この展開状態の手提げ袋を何らかの物品に固定するために、帯状の手提げ袋の長手方向端部に吸盤を設けた例を説明するための図である。
【図２１】第１実施例の手提げ袋を展開した状態のときに、この展開状態の手提げ袋を何らかの物品に固定するために、帯状の手提げ袋の長手方向端部にＳカンフックを設けた例を説明するための図である。
【図２２】帯状の形態のときの両側縁が外方に膨らんだ輪郭を備えた第２実施例の手提げ袋を示す図であり、(I)は帯状形態のときの正面図、(II)は製造工程図である。
【図２３】帯状の形態のときの両側縁が波形の輪郭を備えた第３実施例の手提げ袋を示す図であり、(I)は帯状形態のときの正面図、(II)は製造工程図、(III)は使用状態のときの側面図である。
【図２４】帯状の形態にしたときの第４実施例の手提げ袋の正面図である。
【図２５】帯状の形態にしたときの第４実施例の手提げ袋の平面図である。
【図２６】帯状の形態にしたときの第４実施例の手提げ袋の底面図である。
【図２７】帯状の形態にしたときの第４実施例の手提げ袋の背面図である。
【図２８】帯状の形態にしたときの第４実施例の手提げ袋の右側面図である。
【図２９】帯状の形態にしたときの第４実施例の手提げ袋の左側面図である。
【図３０】帯状の形態にしたときの第４実施例の手提げ袋の斜視図である。
【図３１】第４実施例の手提げ袋の使用状態を示す斜視図である。
【図３２】第４実施例の手提げ袋をロール状の減容化形態で固定した状態を説明するための図である。
【図３３】帯状の形態にしたときの第５実施例のショルダーバッグの斜視図である。
【図３４】帯状の形態にしたときの第５実施例のショルダーバッグの平面図である。
【図３５】帯状の形態にしたときの第５実施例のショルダーバッグの底面図である。
【図３６】第５実施例において、ショルダーバッグの中に物を入れる直前のショルダーバッグの形態を説明するための図である。
【図３７】第５実施例において、ショルダーバッグの中に物を入れるためにバッグ開口部を大きく開いた状態を説明するための図である。
【図３８】第５実施例において、トンネル部の長手方向中央部分からストラップを取り出して手提げ袋として持ち上げたときの形態を説明するための図である。
【図３９】第５実施例において、ショルダーバッグとして肩に掛けたときの形態を説明するための図である。
【図４０】第６実施例の背負いバッグを減容化したときの形態を示す図である。
【図４１】第６実施例の背負いバッグを示す図である。
【図４２】第７実施例のリバーシブルな背負いバッグの格納状態を示す。
【図４３】第７実施例の背負いバッグの格納状態を示し且つ格納状態の背負いバッグの内部を説明するための図である。
【図４４】第７実施例の背負いバッグのバッグ開口部を広げた状態を示す斜視図である。
【図４５】第７実施例の背負いバッグの全体概要を示す図である。
【符号の説明】
【００１７】
１００  第１実施例の手提げ袋
２００  第２実施例の手提げ袋
３００  第３実施例の手提げ袋
４００  第４実施例の手提げ袋
５００  第５実施例のショルダーバッグ
５０４  リング
５０６  ショルダーストラップ
６００  第６実施例の背負いバッグ
７００  第７実施例の背負いバッグ
１００a  袋開口部
２      帯状の手提げ袋の長手方向一端部
４      帯状の手提げ袋の長手方向他端部
ST(1)  第１ストラップ
ST(2)  第２ストラップ
６      第１ストラップ連結部
８      第２ストラップ連結部
１２  プリーツ
１８a  第１トンネル部
１８b  第２トンネル部
２４    フラップ
４０２  窓
【発明を実施するための最良の形態】
【００１８】
以下に、添付の図面に基づいて本発明の好ましい実施例を、本発明の典型的な適用例であるエコバッグを例に説明する。【００１９】
第１実施例（図１〜図１６）：
参照符号１００は第１実施例のエコバッグつまり折り畳み手提げ袋を示す。図１は手提げ袋１００が使用状態のときの形態を示す。図２乃至図５は、手提げ袋１００の形態の変化を時系列で示す。図２は、ショップの内部で、このショップで購入した商品を手提げ袋１００に収容した状態を示す。図３は、手提げ袋１００の袋開口１００aを広げた状態を示す。この状態で、購入した商品を袋の中に入れることができる。また、この状態で収容した商品を手提げ袋１００の中から取り出すことができる。図４は、使用後の手提げ袋１００を引っ張って帯状の形態に変化（後に詳しく説明する。）させる途中の状態を示す。図５は、帯状の形態に変化した手提げ袋１００の正面図である。【００２０】
参照符号２、４は、帯状の形態のときの手提げ袋１００の互いに対向する２つの端部を示す。帯状の手提げ袋１００は、一端部２から他端部４に亘って延びる長手方向軸線Ａxを備えた細長い形状を有する（図５）。手提げ袋１００を使用した後に、ユーザが一方の手で一端部２を把持し、他方の手で他端部４を把持して、一端部２と他端部４を互いに引き離す方向に引っ張る。この単純な引っ張り操作だけで、袋開口１００aを幅方向に大きく広げた状態の手提げ袋１００（図３）は、瞬時に、図４の形態を経由して図５の帯状の約束した細長い扁平な形態になる。【００２１】
図６〜図８は、展開した状態の手提げ袋１００の側面図である。図６は手提げ袋１００を展開して袋開口１００aを幅方向に大きく広げた形態を示す。図６は図３に対応している。図３及び図６に図示の形態で、購入した商品を袋の中に入れることができる。商品を入れ終わったら、手提げ袋１００の袋開口１００a（図１）を挟んで互いに対向して位置する第１、第２のストラップ連結部６、８を引っ張って袋開口１００aを小さくして手提げ袋１００を持ち上げる（図２、図７）。すなわち、図１、図８に示すように、袋開口１００aを絞り込んだ状態の手提げ袋１００を使って物を運ぶことができる。図８は、図１に対応している。【００２２】
図９〜図１４は、帯状の形態にしたときの第１実施例の手提げ袋１００の詳細図である。図９は正面図である。図１０は平面図である。図１１は底面図である。図１２は背面図である。図１３は右側面図である。図１４は左側面図である。【００２３】
図９から最も良く分かるように、帯状の形態のときの手提げ袋１００は、細長い長方形の形状を有する。そして手提げ袋１００は、その長手方向一端から第１ストラップ連結部６が延出し、他端から第２ストラップ連結部８が延出している。手提げ袋１００は、この帯状の形態が基本形態となる。この帯状の形態の手提げ袋１００を展開して（図３、図６）、手提げ袋１００の中に物を入れ、次いで、２つのストラップ連結部６、８を引っ張って袋開口１００aを小さくして手提げ袋１００を持ち上げる（図１）。袋開口１００aを小さくした状態で手提げ袋１００を持ち運ぶことができる。使用後に、手提げ袋１００の一端部２と他端部４とを互いに引き離す方向に引っ張って手提げ袋１００を帯状の形態に変化させることができる。その後、帯状の手提げ袋１００を長手方向に例えば折り畳むことで持ち運びに都合の良い小さく減容化した形態になる（図１６）。この減容化した形態については後に説明する。【００２４】
図１５は手提げ袋１００を製造する工程を説明するための図である。手提げ袋１００を作るために、先ず、正方形又は長方形からなる矩形の生地１０を用意する。生地１０の中心線ＣＬは、上述した帯状の形態の手提げ袋１００（図５、図９）の軸線Ａxになる。【００２５】
図１５の(I)は第１工程を示す。第１工程では、生地１０の中心線ＣＬを挟んで左右の領域に夫々プリーツ１２が形成される。第１工程が終わると、生地１０は、中心線ＣＬを挟んで一方側半分１０aと他方側半分１０bとを折り畳んで形成された複数のプリーツ１２を有する帯状の形態になる。そして、一方側半分１０aと他方側半分１０bとの境に袋開口１００aが形成される。【００２６】
好ましい態様として、プリーツ１２の複数の山折りの第１折り目１２a、複数の谷折りの第２折り目１２bは、一方側半分１０aと他方側半分１０bとで線対称であるのが良い。【００２７】
生地１０は、実施例では、ナイロンからなるシート材料が採用されているが、これに限定されない。ポリエステル、コットン、不織布、ビニールなどの材料、合成樹脂を積層したラミネート材料、合成樹脂と布や紙を積層した材料、皮、ポリエステル生地にアルミ蒸着フィルムを積層した保冷機能を備えた材料など可撓性のシートであれば採用可能である。また、生地１０は、色や材料の異なる複数枚の素材を縫い合わせや接着などによって形成してもよい。【００２８】
好ましくは、第１折り目１２a及び第２折り目１２bは中心線ＣＬと平行且つ直線であるのが良い。また、一方側半分１０aのプリーツ１２を構成する長方形のヒダ１４の数と他方側半分１０bのプリーツ１２を構成する長方形のヒダ１４の数は好ましくは同じであるのが良い。変形例として、後に図２２、図２３を参照して説明するように、帯状の形態にしたときの手提げ袋１００の外側に位置する山折りの折り目つまり第１折り目１２aは非直線であってもよい。【００２９】
帯状の形態の手提げ袋１００は、長手方向一端部２から他端部４に亘って延びる袋開口１００aを有する。手提げ袋１００の一方側半分１０a及び他方側半分１０bに属するプリーツ１２の各ヒダ１４の幅Ｗ（図１５の(II)）は好ましくは同じであるのが良い。以下の説明において、説明の便宜上、一方側を「左」と呼び、他方側を「右」と呼ぶ。【００３０】
図１５の(II)は第２の工程を示す。第２の工程では、帯状の形態の生地１０の一端部と他端部とが閉じられる。この実施例では、帯状の形態の生地１０の両端部にポリプロピレンテープ、コットンテープなどの端閉じテープ２０を巻き付けて、これを縫い付けることにより帯状の形態の生地１０の各端部が閉じられる。【００３１】
図１５の(III)は第３の工程を示す。第３の工程では、第１、第２の手提げストラップST(1)、ST(2)が装着される。実施例では、第１、第２の手提げストラップST(1)、ST(2)は、その両端部において、上記第１、第２のストラップ連結部６、８で連結されて一本のリング状のストラップで構成されている。リング状のストラップを生地１０に縫い付けないで、一本のリング状のストラップが、後に説明する第１トンネル部１８a、第２のトンネル部１８bの中を移動できるようにしてもよい。好ましい態様として、図１５の(III)に図示の参照符号１００bは実質的に一本のリング状のストラップST(1)、ST(2)の固定部を示す。この実施例では固定部１００bは当て布と縫い目で構成されているが、縫い目だけで構成してもよい。固定部１００bは、長手方向中間部分に配置するのが好ましい。第１、第２の手提げストラップST(1)、ST(2)は、例えばポリプロピレンテープ、コットンテープなど任意の材料のテープを採用することができる。勿論、外部に露出する第１、第２のストラップ連結部６、８を夫々、独立したストラップで構成してもよい。この場合、２つの独立したストラップの各々の２つの端部を夫々、帯状の形態の手提げ袋１００の長手方向中間部分に固定すればよい。【００３２】
帯状の形態の生地１０の左半分１０aの一番上の左フラップ１６a-1とその下の左フラップ１６a-2との間及び右半分１０ｂの一番上の右フラップ１６b-1とその下の右フラップ１６b-2との間にリング状のストラップST(1)、ST(2)を入れる（図１５の(I)、(III)）。次いで、左半分の一番上の左フラップ１６a-1の端縁をその下の左フラップ１６a-2に縫い付けると共に、右半分の一番上の右フラップ１６b-1の端縁をその下の右フラップ１６b-2に縫い付ける。【００３３】
これにより、左半分の一番上の左フラップ１６a-1の端縁とその下の左フラップ１６a-2との間に第１のトンネル部１８aが形成され、右半分の一番上の右フラップ１６b-1の端縁とその下の右フラップ１６b-2との間に第２のトンネル部１８bが形成される。また、第１トンネル部１８aと第２トンネル部１８bに挿通した状態で一本のリング状のストラップST(1)、ST(2)、６、８が配置され、そして、第１、第２のトンネル部１８a、１８bの中を通る第１、第２のストラップST(1)、ST(2)が第１、第２のトンネル部１８a、１８bの長手方向中間部分に縫い付けられて固定される（固定部１００b）。【００３４】
なお、図示の例では、一番上の左右のフラップ１６a-1、１６b-1の端縁が内側に位置して互いに対抗して位置しているが、一番上の左右のフラップ１６a-1、１６b-1の端縁が外側に位置していてもよい。【００３５】
手提げ袋１００は、上記の(I)乃至(III)の工程を経ることにより、袋開口１００aを挟んで位置する第１、第２のトンネル部１８a、１８bを有し、また、各トンネル部１８a、１８bの下に位置する複数のプリーツ１２の両端を縫う、つまり閉塞することによって袋本体Ｂ（図１５(I)）が構成されている。袋本体Ｂに物を収容するとプリーツ１２が拡張し、これにより袋本体Ｂの容積が拡大する。そして、第１、第２のトンネル部１８a、１８bに第１、第２のストラップST(1)、ST(2)が挿通され、この第１、第２のストラップ連結部６、８を持ち上げることによって袋開口１００aが小さくなる。【００３６】
実施例の手提げ袋１００は、好ましくは他端部４に比較的大きなフラップ２４を備えているが、フラップ２４は必ずしも必須ではない。フラップ２４は、図１５の(II)を参照して、帯状の形態の生地１０の両端部を閉じるときに生地１０の一端部に縫い付けられる。このフラップ２４は、帯状の手提げ袋１００を減容化した形態で固定するのに用いられる。フラップ２４は、図１５の(II)を参照して、帯状の形態の生地１０の両端部を閉じるときに生地１０の他端部４に縫い付けられる。【００３７】
フラップ２４は、後に説明するように、帯状の手提げ袋１００をロール状に減容化した後に、又は長手方向に折り畳んで減容化した後に、減容化した手提げ袋１００を包囲するカバー機能を発揮できる長さ寸法を有するのが好ましい。【００３８】
図１６は、帯状の形態の手提げ袋１００を減容化する工程を説明するための図である。帯状の手提げ袋１００を持ち運びに都合の良い小さな所定の形状の減容化形態にするには、先ず、帯状の手提げ袋１００（図９）を長手方向に２つ折りし（図１６の(I)）、これを更に２つ折りし（図１６の(II)）、そして、フラップ２４で固定する。フラップ２４の端にはボタンファスナ２６Ａが縫い付けられている。このボタンファスナ２６Ａと協働する受けファスナ２６Ｂが手提げ袋１００の他端部４の背面に縫い付けられている（図１２）。ファスナ２６に代えて面ファスナで構成してもよい。フラップ２４のファスナ２６で固定することで、帯状の形態の手提げ袋１００は、減容化した所定の小さな形態で固定される。【００３９】
また、フラップ２４を省いて、減容化した形態の手提げ袋１００を外装袋つまりカバー袋に収容するようにしてもよい。また、帯状の形態の手提げ袋１００を例えば一端から他端に向けて巻き込んで減容化し、これを外装袋に収容するようにしてもよい。【００４０】
図２、図３、図８などに見られる参照符号１００bは第１、第２のストラップST(1)、ST(2)の固定部を示す。上述したように、第１、第２の手提げストラップST(1)、ST(2)は、帯状の手提げ袋１００の長手方向中間部分でトンネル部１８a、１８bに固定される。変形例として、第１、第２の手提げストラップST(1)、ST(2)は一本の連続したリング状のストラップで構成してもよい。【００４１】
図１７ないし図２１は、展開した手提げ袋１００の利便性を高める手段を手提げ袋１００に設けた例を示す。なお、図１７ないし図２１では、第１、第２の手提げストラップST(1)、ST(2)の図示を省略してある。図１７は、面ファスナ２８を帯状の手提げ袋１００の長手方向中央部分に配置した例を示す。この図１７の例によれば、展開した手提げ袋１００を例えば自転車のサドルに被せて、面ファスナ２８を使って手提げ袋１００の開口部を互いに固定することで、手提げ袋１００をサドルに固定することができる。また、内容物を入れた手提げ袋１００の袋開口部を閉じるのに面ファスナ２８を使うことができる。【００４２】
図１８は、帯状の手提げ袋１００の長手方向両端の各々に比較的小さな矩形のフラップ３０を設け、このフラップ３０にボタンファスナ３２を配置した例を示す。ボタンファスナ３２に代えて面ファスナであってもよい。この図１８の例によれば、手提げ袋１００の中に購入した商品を入れた後、左右のフラップ３０をボタンファスナ３２で一体化することで、手提げ袋１００の上端部にリングを作ることができる。このリングで例えば自動車の中のフックに、使用状態の手提げ袋１００を係止することができる。【００４３】
図１９は、帯状の手提げ袋１００の長手方向中央部分に間隔を隔てて２つのＤカンフック３４を設けた例を示す。図２０は、帯状の手提げ袋１００の長手方向両端に吸盤３６を設けた例を示す。図２１は、帯状の手提げ袋１００の長手方向両端にＳカンフック３８を設けた例を示す。図１９乃至図２１の例によれば、展開状態の手提げ袋１００を、何か都合の良い物品や部分（例えば自動車の内部のフック）に引っ掛けるなどして固定することができる。【００４４】
図１乃至図２１を参照して説明した手提げ袋１００は、これを帯状にしたときに、長手方向両側縁が軸線Ａxと平行な直線で構成される。手提げ袋１００の側縁の輪郭は直線に限定されない。【００４５】
第２実施例（図２２）：
図２２は、帯状の形態のときの両側縁が外方に膨らんだ輪郭を備えた第２実施例の手提げ袋２００を示す。すなわち、第２実施例の手提げ袋２００の外側に位置する山折りの折り目つまり第１折り目１２aは外方に向けて突出したアーチ状の形状を有している。図２２の(I)は帯状にした第２実施例の手提げ袋２００の正面図であり、第１実施例の図９に対応している。図２２の(II)は、第２実施例の手提げ袋２００の製造工程を示し、第１実施例の図１５の(I)に対応している。図２２では、第１、第２のストラップST(1)、ST(2)の図示が省略されている。この第２実施例においても、手提げ袋２００は、袋開口２００aを挟んで位置する第１、第２のトンネル部１８a、１８bを有し、また、各トンネル部１８a、１８bの下に位置する複数のプリーツ１２の両端を縫う、つまり閉塞することによって袋本体Ｂが構成されている。袋本体Ｂに物を収容するとプリーツ１２が拡張し、これにより袋本体Ｂの容積が拡大する。そして、第１、第２のトンネル部１８a、１８bに、図示を省略したが第１、第２のストラップST(1)、ST(2)が挿通され、そして、第１、第２のストラップ連結部６、８を持ち上げることによって袋開口２００aを小さくすることができる。【００４６】
第３実施例（図２３）：
図２３は、帯状の形態のときの両側縁が波状の輪郭を備えた手提げ袋３００を示す。すなわち、第３実施例の手提げ袋３００の外側に位置する山折りの折り目つまり第１折り目１２aは波状の形状を有している。図２３の(I)は帯状にした第３実施例の手提げ袋３００の正面図であり、第１実施例の図９に対応している。図２３の(II)は、第３実施例の手提げ袋３００の製造工程を示し、第１実施例の図１５の(I)に対応している。図２３の(III)は第３実施例の手提げ袋３００の使用状態つまり展開状態を説明するための図であり、第１実施例の図８に対応している。図２３では、第１、第２のストラップST(1)、ST(2)の図示が省略されている。この第３実施例においても、手提げ袋３００は、袋開口３００aを挟んで位置する第１、第２のトンネル部１８a、１８bを有し、また、各トンネル部１８a、１８bの下に位置する複数のプリーツ１２の両端を縫う、つまり閉塞することによって袋本体Ｂが構成されている。袋本体Ｂに物を収容するとプリーツ１２が拡張し、これにより袋本体Ｂの容積が拡大する。そして、第１、第２のトンネル部１８a、１８bに、図示を省略したが第１、第２のストラップST(1)、ST(2)が挿通され、そして、第１、第２のストラップ連結部６、８を持ち上げることによって袋開口３００aを小さくすることができる。【００４７】
第４実施例（図２４ないし図３２）：
図２４ないし図３２は第４実施例の手提げ袋４００を示す。図２４は、帯状の形態の手提げ袋４００の正面図である。図２５は平面図である。図２６は底面図である。図２７は背面図である。図２８は右側面図である。図２９は左側面図である。図３０は、帯状の形態の手提げ袋４００の斜視図である。図３１は、第４実施例の手提げ袋４００の展開状態つまり使用状態を説明するための図である。図３２は、第４実施例の手提げ袋４００の減容化状態つまり帯状形態の手提げ袋４００をロール状に巻き込んで持ち運びに都合の良い小さな形態にした状態を説明するための図である。【００４８】
第４実施例の手提げ袋４００は、最も上に位置する左右のフラップ１６a-1、１６b-1の長手方向中央部分に夫々、中央窓４０２a、４０２bを有し、この中央窓４０２a、４０２bの各々から第１、第２のストラップST(1)、ST(2)を引き出すことができるようになっている（図３０、図３１）。各手提げストラップST(1)、ST(2)の各端部は、帯状の手提げ袋４００の一端部と他端部に縫い付けられている。この縫い目を参照符号４０で示してある（図２４）。【００４９】
すなわち、帯状の手提げ袋４００は、第１実施例と同様に、２つのトンネル１８a、１８bの間に開口部４００aを有し、トンネル部１８a、１８bには、夫々、第１、第２のストラップST(1)、ST(2)が挿通されている。そして、この第１、第２のストラップST(1)、ST(2)を中央窓４０２a、４０２bを通じて引っ張り出すことができる。【００５０】
図３１は、第４実施例の手提げ袋４００の中に物を入れて第１、第２のストラップST(1)、ST(2)を手にして持ち運ぶときの形態を示す。使用後に手提げ袋４００を減容化するときには、図２、図４、図５を参照して前述したように、空の手提げ袋４００の一端部２をユーザが一方の手で把持し、他方の手で他端部４を把持して、一端部２と他端部４を互いに引き離す方向に引っ張ることで、帯状の形態に変化させることができる（図２４、図３０）。そして、この帯状の形態を折り畳み又は一端からロール状に巻き込むことで持ち運びに便利な減容化した形態に変化させることができる（図３２）。【００５１】
第５実施例（図３３ないし図３９）：
図３３ないし図３９は第５実施例のショルダーバッグ５００を示す。図３３は、帯状の形態のショルダーバッグ５００の斜視図である。図３４は帯状の形態のショルダーバッグ５００の平面図である。図３５は帯状の形態のショルダーバッグ５００の底面図である。【００５２】
空のショルダーバッグ５００を減容化するときには、図２、図４、図５を参照して前述したのと同様に、空のショルダーバッグ５００の一端部２をユーザが一方の手で把持し、他方の手で他端部４を把持して、一端部２と他端部４を互いに引き離す方向に引っ張ることで、図３３に図示の扁平な帯状の形態に変化させることができる。【００５３】
図３６は、ショルダーバッグ５００の中に物を入れる直前の形態を説明するための図である。図３６を参照して、ショルダーバッグ５００は、長手方向の一端部２から他端部４に亘って延びるバッグ開口部５００aを有する。図３７はバッグ開口部５００aを大きく開いた状態を示す。このバッグ開口部５００aを通じてショルダーバッグ５００の中に物を出し入れすることができる。バッグ開口部５００aはファスナ（図示せず）によって開け閉めできるようにしてもよい。【００５４】
ショルダーバッグ５００は、バッグ開口部５００aを挟んで、その左右にトンネル部１８a、１８bを有し、トンネル部１８a、１８bの中に、夫々、第１、第２のストラップST(1)、ST(2)が挿通されている点で上述した実施例の手提げ袋１００、２００、３００、４００と共通である。【００５５】
図３３を参照して、扁平な帯状の形態では、ショルダーバッグ５００の一つの面（図３４）に第１のトンネル部１８aと第１のストラップST(1)が配置され、他の面（図３５）に第２のトンネル部１８bと第２のストラップST(2)が配置されている。【００５６】
各ストラップST(1)、ST(2)はその各端部に夫々リング５０４が装着されている。すなわち、この２本のストラップST(1)、ST(2)は各トンネル部１８a、１８bの長手方向両端の開口１８cを通じて外部に延出して、そして、リング５０４で一体化されている。これにより、ストラップST(1)、ST(2)は、一対のリング５０４によって実質的に一本のリングの形状を有している。一対のリング５０４、５０４には一本のショルダーストラップ５０６の各端が連結されている。好ましくは、ショルダーストラップ５０６は、その長さが好ましくはアジャスタ５０８によって調整可能であるのがよい。ショルダーストラップ５０６を肩に掛けることでショルダーバッグ５００を持ち運ぶことができる。【００５７】
任意であるが、各トンネル部１８a、１８bは長手方向中央部分に窓５１０を有するのがよい。この窓５１０を通じて各ストラップST(1)、ST(2)を外部に引っ張り出すことができる。この状態を図３８に図示してある。図３８から分かるように、ショルダーバッグ５００は、図３１に図示した第４実施例の手提げ袋４００と同じ手提げ袋の形態になる。【００５８】
第６実施例（図４０、図４１）：
図４０、図４１は第６実施例の背負いバッグ６００を示す。背負いバッグ６００は、実質的に第１実施例の手提げ袋１００と同じであることから、手提げ袋１００に含まれる要素と実質的に同じ要素には同じ参照符号を付してその説明を省略する。【００５９】
背負いバッグ６００は、一端部２から他端部４に亘って延びる開口部１００aを有し、また、開口部１００aを挟んでその両側にトンネル部１８a、１８bを有する。第１、第２の２つのトンネル部１８a、１８bには第１、第２のストラップST(1)、ST(2)が挿通されて、その各端部が第１、第２のトンネル部１８a、１８bから外部に延出して、そして互いに連結されている。この連結部を参照符号６、８で図示してある。すなわち、第１、第２のストラップST(1)、ST(2)は実質的にリング状のストラップを構成し、例えば第１の一端連結部６を引っ張ることにより、開口部１００aを窄めることができる。変形例として、第１、第２のストラップST(1)、ST(2)の他端を夫々、第１、第２のトンネル部１８a、１８bに固定し、上記第１の一端連結部６だけを第１、第２のトンネル部１８a、１８bから外部に延出させるようにしてもよい。【００６０】
背負いバッグ６００は他端部４にフラップ２４を有し、このフラップ２４にボタンファスナ２６Aが設置されている。これを受ける受けファスナ２６Bは、第１実施例では、他端部４の背面に縫い付けられているが（図１２）、この第６実施例では、図示を省略したが、背負いバッグ６００の一端部２の背面に縫い付けられている。【００６１】
背負いバッグ６００は、バッグ開口部１００aが位置する面とは反対側の背面に、一対の背負いストラップ６０４や手提げストラップ６０６が縫い付けられている。【００６２】
図４１は、バッグ６００の中に物を入れてバッグ開口部１００aをフラップ２４で覆った状態を示す。一対の背負いストラップ６０４を使ってバッグ６００を背中に背負うことができる。また、手提げストラップ６０６を使って手提げバッグとして持ち運ぶことができる。【００６３】
第７実施例（図４２〜図４５）：
図４２〜図４５は第７実施例の背負いバッグ７００を示す。この背負いバッグ７００は、第６実施例の変形例でもある。第５実施例（図３６など）に含まれる要素と同じ要素には同じ参照符号を付してその説明を省略する。【００６４】
第７実施例の背負いバッグ７００はリバーシブルである。すなわち、背負いバッグ７００は、その表面と裏面とを反転させることにより格納状態から使用状態に変化させることができる。バッグ開口５００aはファスナ７０２によって開閉することができる。図４２は格納状態であって且つファスナ７０２を閉じた状態を示す。図４３は、格納状態であって且つファスナ７０２を開いてバッグ開口５００aを開放した状態を示す。図４４は、背負いバッグ７００を反転させて使用状態に変化させた状態を示す。図４５は、背負いバッグ７００の中に物を入れた後にファスナ７０２を閉じた状態を示す。この図４５の状態の背負いバック７００を背負って運ぶことができる。【００６５】
バッグ開口５００aを挟んで左右に位置する第１、第２のトンネル部１８a、１８bには、夫々、第１、第２のショルダーストラップST(1)、ST(2)が挿通されている。第１、第２のショルダーストラップST(1)、ST(2)の一端が背負いバッグ７００の一端部２に縫い付けられている。他方、左右のショルダーストラップST(1)、ST(2)の他端は、トンネル部１８a、１８bの端から外部に延出して合流している。すなわち、左右のショルダーストラップST(1)、ST(2)は実質的に一本のストラップで構成され、この一本のストラップの２つの端が背負いバッグ７００の一端部２に縫い付けられている。第１、第２のショルダーストラップST(1)、ST(2)は、夫々、アジャスタ７０８によって長さ調整可能であるのが好ましい。【００６６】
格納状態（図４２、図４３）では、第１、第２のショルダーストラップST(1)、ST(2)や第１、第２のトンネル部１８a、１８bが内部に格納された状態になる。他方、使用状態（図４４、図４５）では、第１、第２のショルダーストラップST(1)、ST(2)を外部に露出させた状態になる。【００６７】
以上、本発明の実施例を説明したが、例えば、第１実施例の手提げ袋１００を自転車のサドルのカバーとして適用することが可能である。雨天に備えて常時携帯し、雨が降りそうなときには、事前に、サドルに被せることができる。同様に、自動車や自転車のカバーとして適用することが可能である。【００６８】
上記の実施例では、帯状の形態における手提げ袋の一方側半分１０aと他方側半分１０bとが線対称の形状を有しているが、非対称であってもよい。また、手提げ袋の一方側半分１０aのプリーツ１２を構成するヒダ１４（図１５）の数と他方側半分１０bのプリーツ１２を構成するヒダ１４の数が異なっていてもよい。【００６９】
本発明の適用例は、上述した手提げ袋やショルダーバッグなどが典型例であるが、これに限定されない。本発明は、テント、雨合羽、ポンチョのような携帯具の他に、自動車又は自転車のカバー、自動車の座席カバー、自動車のハンドルカバーなどの包囲体のように、展開した使用状態から、これを折り畳んで約束した形態に減容化するのに手間取る包囲体に好適に適用することができる。【００７０】
第７実施例（図４２〜図４５）は背負いバッグ７００を例に、これをリバーシブルにする思想を開示したが、第１実施例乃至第６実施例においてもリバーシブルの思想を組み込んでもよい。すなわち、第１実施例乃至第６実施例においても、表面と裏面とを反転させてストラップ及びトンネル部を格納する格納状態から、ストラップ及びトンネル部を外部に露出させた使用状態に変化させるようにしてもよい。
【図１】
2017033902.tif 000003
【図２】
2017033902.tif 000004
【図３】
2017033902.tif 000005
【図４】
2017033902.tif 000006
【図５】
2017033902.tif 000007
【図６】
2017033902.tif 000008
【図７】
2017033902.tif 000009
【図８】
2017033902.tif 000010
【図９】
2017033902.tif 000011
【図１０】
2017033902.tif 000012
【図１１】
2017033902.tif 000013
【図１２】
2017033902.tif 000014
【図１３】
2017033902.tif 000015
【図１４】
2017033902.tif 000016
【図１５】
2017033902.tif 000017
【図１６】
2017033902.tif 000018
【図１７】
2017033902.tif 000019
【図１８】
2017033902.tif 000020
【図１９】
2017033902.tif 000021
【図２０】
2017033902.tif 000022
【図２１】
2017033902.tif 000023
【図２２】
2017033902.tif 000024
【図２３】
2017033902.tif 000025
【図２４】
2017033902.tif 000026
【図２５】
2017033902.tif 000027
【図２６】
2017033902.tif 000028
【図２７】
2017033902.tif 000029
【図２８】
2017033902.tif 000030
【図２９】
2017033902.tif 000031
【図３０】
2017033902.tif 000032
【図３１】
2017033902.tif 000033
【図３２】
2017033902.tif 000034
【図３３】
2017033902.tif 000035
【図３４】
2017033902.tif 000036
【図３５】
2017033902.tif 000037
【図３６】
2017033902.tif 000038
【図３７】
2017033902.tif 000039
【図３８】
2017033902.tif 000040
【図３９】
2017033902.tif 000041
【図４０】
2017033902.tif 000042
【図４１】
2017033902.tif 000043
【図４２】
2017033902.tif 000044
【図４３】
2017033902.tif 000045
【図４４】
2017033902.tif 000046
【図４５】
2017033902.tif 000047
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
シート材料で構成され、両端部を引き離す方向に引っ張るだけで、長手方向の両端を閉じた所定の長方形の扁平な帯状の形態にすることができ、また、この帯状の形態の一方の端から折り畳む又はロール状に巻き込むことにより減容化した形態にすることができる折り畳み可能な袋（１００，５００）であって、
前記袋が帯状の形態のときの幅方向中央部分又は一方の側縁を一端部から他端部に亘って直線状に延び且つ対象物を出し入れするための開口部（１００ａ，５００ａ）と、
該開口部（１００ａ，５００ａ）を挟んで、その一方側半分（１０ａ）と他方側半分（１０ｂ）とに位置し、所定の幅で山折り、谷折りを繰り返すことにより形成された複数のプリーツ（１２）で構成される蛇腹構造の袋本体であって、該複数のプリーツ（１２）の各端部を重ねた状態で閉塞された袋本体と、
前記一方側半分（１０ａ）と前記他方側半分（１０ｂ）とに形成され、前記開口部（１００ａ，５００ａ）に沿って延びる第１、第２のトンネル部（１８ａ、１８ｂ）と、
前記第１のトンネル部（１８ａ）に挿通され、幅を有する扁平な第１のストラップ（ＳＴ１）と、
前記第２のトンネル部（１８ｂ）に挿通され、幅を有する扁平な第２のストラップ（ＳＴ２）と、
前記第１、第２のトンネル部の両端から前記第１、第２のストラップ（ＳＴ１、ＳＴ２）の一部を引っ張り出すことにより前記開口部（１００ａ）を小さくしながら、第１、第２のストラップ（ＳＴ１、ＳＴ２）を使って運ぶことができる折り畳み可能な袋（１００，５００）。
【請求項２】
前記第１、第２のトンネル部（１８ａ，１８ｂ）が、その長手方向中央部分に窓（４０２ａ，４０２ｂ，５１０）を更に有し、該窓（４０２ａ，４０２ｂ，５１０）を通じて前記第１、第２のストラップ（ＳＴ１、ＳＴ２）を外部に引っ張り出すことにより、又は、前記第１、第２のトンネル部の両端から前記第１、第２のストラップ（ＳＴ１、ＳＴ２）の一部を引っ張り出すことにより、前記開口部（１００ａ）を小さくしながら、第１、第２のストラップ（ＳＴ１、ＳＴ２）を使って運ぶこができる、請求項１に記載の折り畳み可能な袋（５００）。
【請求項３】
（削除）
【請求項４】
（削除）
【請求項５】
前記折り畳み可能な袋（５００）がショルダーバッグであり、
前記開口部（５００ａ）が、前記帯状の形態のときの一方の側縁を一端部から他端部に亘って直線状に延びており、
前記第１、第２のストラップ（ＳＴ１、ＳＴ２）が、前記第１、第２のトンネル部の長手方向両端部から外部に延出し、該外部に延出している前記第１、第２のストラップ（ＳＴ１、ＳＴ２）の一端部及び他端部が、それぞれ、第１、第２のリング（５０４）を介して連結され、
これら第１、第２のリング（５０４）が一本のショルダーストラップ（５０６）によって連結されている、請求項１に記載の折り畳み可能な袋（５００）。
【請求項６】
前記折り畳み可能な袋（５００）がショルダーバッグであり、
前記開口部（５００ａ）が、前記帯状の形態のときの一方の側縁を一端部から他端部に亘って直線状に延びており、
前記第１、第２のストラップ（ＳＴ１、ＳＴ２）が、前記第１、第２のトンネル部の長手方向両端部から外部に延出し、該外部に延出している前記第１、第２のストラップ（ＳＴ１、ＳＴ２）の一端部及び他端部が、それぞれ、第１、第２のリング（５０４）を介して連結され、
これら第１、第２のリング（５０４）が一本のショルダーストラップ（５０６）によって連結されている、請求項２に記載の折り畳み可能な袋（５００）。
【請求項７】
前記ショルダーストラップ（５０６）にアジャスタ（５０８）が設けられ、該アジャスタ（５０８）によって前記ショルダーストラップ（５０６）の長さが調整可能である、請求項５又は６に記載の折り畳み可能な袋（５００）。
【請求項８】
（削除）
【請求項９】
（削除）
【請求項１０】
前記帯状の形態での他方の端から延出するフラップ（２４）を有し、
該フラップ（２４）に固定具（２６Ａ）が設けられ、該固定具（２６Ａ）によって前記減容化した形態を固定できる、請求項１に記載の折り畳み可能な袋（１００）。
【請求項１１】
（削除）
【請求項１２】
（削除）
【請求項１３】
（削除）
【請求項１４】
前記第１のトンネル部（１８ａ）が、前記複数のプリーツ（１２）の一番上のプリーツの上方の且つ前記プリーツと同じ幅のフラップ（１６ａ−１）の側縁をその下のプリーツ（１２）に固定することにより形成され、
前記第２のトンネル部（１８ｂ）が、前記複数のプリーツ（１２）の一番上のプリーツの上方の且つ前記プリーツと同じ幅のフラップ（１６ｂ−１）の端縁をその下のプリーツ（１２）に固定することにより形成されている、請求項１又は２に記載の折り畳み可能な袋（１００）。
【国際調査報告】
2017033902.tif 000048
2017033902.tif 000049
2017033902.tif 000050
2017033902.tif 000051